(57)【特許請求の範囲】
【請求項１】
光学ファインダを使って物体像を確認する光学ファインダモードと、モニタを使って物体像を確認するライブビューモードとを切換可能な撮像装置において、
前記光学ファインダモードにおいて所定の操作部材のユーザによる第１の操作に伴ってフォーカスレンズを移動させるとともに、前記ライブビューモードにおいて所定の操作部材のユーザによる第１の操作に伴って当該ライブビューモードを中断させてフォーカスレンズを移動させるオートフォーカス手段と、
前記光学ファインダモードにおいて、前記オートフォーカス手段により得られるオートフォーカス結果に連動した測光を行う所定のモードが設定されている場合には当該測光を行うとともに、前記ライブビューモードにおいて、前記所定のモードが設定されている場合には、オートフォーカス結果に連動しない測光を行う制御手段とを有することを特徴とする撮像装置。
【請求項２】
前記オートフォーカス結果に連動した測光を行うモードとは、自動被写界深度撮影モードであり、前記オートフォーカス結果に連動しない測光を行うモードとは、プログラム撮影モードであることを特徴とする請求項１に記載の撮像装置。
【請求項３】
前記オートフォーカス結果に連動した測光を行うモードとは、合焦測距点での評価測光結果をもって合焦時の測光値をロックするモードであり、前記オートフォーカス結果に連動しない測光を行うモードとは、リアルタイムに測光を続けるモードであることを特徴とする請求項１に記載の撮像装置。
【請求項４】
前記光学ファインダの使用時に動作可能となるオートフォーカス手段とは、位相差によるオートフォーカスを行う手段であることを特徴とする請求項１ないし３のいずれかに記載の撮像装置。
【請求項５】
プログラム撮影モードと自動被写界深度撮影モードを少なくとも選択可能とする第１操作部材と、
オートフォーカスモードを選択可能とする第２操作部材と、
ライブビューモード時に、前記光学ファインダに切り換えられると、前記第１の操作部材により前記自動被写界深度撮影モードが設定されている場合であっても、前記第２操作部材により選択されているオートフォーカスモードにて前記オートフォーカス手段を動作させるオートフォーカス制御手段とを有することを特徴とする請求項２または４に記載の撮像装置。
【発明の詳細な説明】
【技術分野】
【０００１】
本発明は、光学ファインダとライブビューモードが切換可能な撮像装置に関するものである。
【背景技術】
【０００２】
従来からある光学ファインダと並び、撮像素子を用いて撮影範囲の画像を取り込み、液晶モニターなどで表示する電子ビューファインダ（以下、ライブビュー）を有するカメラが多数提案されている。ライブビューの特長としては、外界の暗さ、即ち輝度の低下に強いこと、被写界深度などの確認が容易なこと、拡大などの加工表示が容易なこと、などがある。
【０００３】
また、一眼レフカメラにおいては、撮像レンズを通った光をセパレータレンズで分離して、それらの像間の距離をもとにレンズ移動量を求めて合焦を行う位相差ＡＦ（オートフォーカス）方式により合焦を行っている。この種のライブビュー機能を有するカメラにおいては、撮像素子で得られた画像データのコントラストに基づいて合焦を行うコントラストＡＦ方式が主流となっている。
【０００４】
光学ファインダとライブビューモードそれぞれの特徴を活かすため、一眼レフカメラにおいても双方の方式を切り換えて使用可能とする提案がなされている（特許文献１）。
【０００５】
光学ファインダとライブビューモードを切り換え可能にした場合、それぞれのモードにおけるＡＦ方式は、光学ファインダ使用時は位相差ＡＦ方式、ライブビューモード使用時にはコントラストＡＦ方式ということになる。位相差ＡＦ方式は合焦速度に優れ、コントラストＡＦ方式は合焦精度に優れているなどそれぞれ特徴があり、ライブビューモードを使用している状態でも位相差ＡＦ方式を行いたい場合が考えられ、ＡＦ方式の切り換えが可能なカメラも提案されている（特許文献２）。
【特許文献１】特開平５−１０７５９５号公報
【特許文献２】特開２００１−２７２５９３号公報
【発明の開示】
【発明が解決しようとする課題】
【０００６】
ところで、一眼レフカメラにおいては速写性が求められることが多く、ライブビューモードを搭載した場合でも、合焦に時間がかかるコントラストＡＦ方式を使用しない構成が考えられる。この場合、ライブビューモードでのピント合わせは基本的にはマニュアルフォーカスとなり、通常のレリーズ釦の第１ストロークでＡＦ、第２ストロークで撮影といった動作とは異なり、ピント位置とは無関係に撮影可能となる。このような構成において、ユーザーの操作により位相差ＡＦ方式を可能にした場合には、必要な期間だけ光学ファインダに切り換え、位相差ＡＦ方式によりＡＦ動作を行い、その後ライブビューモードに戻す構成が考えられる。
【０００７】
しかしながら、光学ファインダを使用する位相差ＡＦ方式においては、自動被写界深度優先ＡＦ（以下、オートデプス、詳細は後述）や合焦測距点での評価測光結果をもって合焦時の測光値をロックするＡＥロックなど、光学ファインダを使用した測光プログラムと連動しているものがある。ここで、光学ファインダとライブビューモードで測光方式が異なる場合、位相差ＡＦによるＡＦ動作後にライブビューモードに戻り、ライブビューモードでの測光方式に切り換わると、整合性が取れない状況が発生してしまう可能性があった。
【０００８】
（発明の目的）
本発明の目的は、光学ファインダとライブビューモードを切換可能にした場合のオートフォーカスと測光方式の不整合を防止することのできる撮像装置を提供しようとするものである。
【課題を解決するための手段】
【０００９】
上記目的を達成するために、本発明は、光学ファインダを使って物体像を確認する光学ファインダモードと、モニタを使って物体像を確認するライブビューモードとを切換可能な撮像装置において、前記光学ファインダモードにおいて所定の操作部材のユーザによる第１の操作に伴ってフォーカスレンズを移動させるとともに、前記ライブビューモードにおいて所定の操作部材のユーザによる第１の操作に伴って当該ライブビューモードを中断させてフォーカスレンズを移動させるオートフォーカス手段と、前記光学ファインダモードにおいて、前記オートフォーカス手段により得られるオートフォーカス結果に連動した測光を行う所定のモードが設定されている場合には当該測光を行うとともに、前記ライブビューモードにおいて、前記所定のモードが設定されている場合には、オートフォーカス結果に連動しない測光を行う制御手段とを有する撮像装置とするものである。
【発明の効果】
【００１０】
本発明によれば、光学ファインダとライブビューモードを切換可能にした場合のオートフォーカスと測光方式の不整合を防止することができる撮像装置を提供できるものである。
【発明を実施するための最良の形態】
【００１１】
本発明を実施するための最良の形態は、以下の実施例に示す通りである。
【実施例】
【００１２】
図１は本発明の一実施例に係わる、ライブビューモードを有する撮像装置を示す構成図であり、１００は撮像装置の装置本体、２００，２１０は記録媒体、３００は交換レンズタイプのレンズユニットである。
【００１３】
まず、装置本体１００内の構成について説明する。１２は露光量を制御するためのシャッター、１３はシャッター１２を通過して結像された光学像を電気信号に変換する撮像素子である。１６は撮像素子１３からのアナログ信号をデジタル信号に変換するＡ／Ｄ変換器である。１８は、撮像素子１３、Ａ／Ｄ変換器１６、Ｄ／Ａ変換器２６にクロック信号や制御信号を供給するタイミング発生部であり、後述のメモリ制御部２２及びシステム制御部５０により制御される。
【００１４】
２０は画像処理部であり、Ａ／Ｄ変換器１６からのデータ或いはメモリ制御部２２からのデータに対して所定の画素補間処理や色変換処理を行う。また、画像処理部２０は、必要に応じて、撮像した画像データを用いて所定の演算処理を行う。後述のシステム制御部５０は、上記の演算結果に基づいてシャッター制御部４０、測距部４２に対して制御を行う。つまり、ＴＴＬ（Ｔｈｒｏｕｇｈ  Ｔｈｅ  Ｌｅｎｓ）方式のＡＦ（オートフォーカス）処理を行う。画像処理部２０は、さらにＡＥ（自動露出）処理、ＥＦ（フラッシュ調光）処理を行う。画像処理部２０は、さらに、撮像した画像データを用いて所定の演算処理を行い、得られた演算結果に基づいてＴＴＬ方式のＡＷＢ（オートホワイトバランス）処理も行う。
【００１５】
なお、本実施例においては、測距部４２及び測光部４６を専用に備える構成としている。そのため、測距部４２及び測光部４６を用いてＡＦ処理、ＡＥ処理、ＥＦ処理の各処理を行い、上記画像処理部２０を用いたＡＦ処理、ＡＥ処理、ＥＦ処理の各処理を行わない構成としても良い。或いは、測距部４２及び測光部４６を用いてＡＦ処理、ＡＥ処理、ＥＦ処理の各処理を行い、さらに、上記画像処理部２０を用いたＡＦ処理、ＡＥ処理、ＥＦ処理の各処理を行う構成としても良い。測距部４２、測光部４６は光学ファインダ使用時に動作可能となる。
【００１６】
２２はメモリ制御部であり、Ａ／Ｄ変換器１６、タイミング発生部１８、画像処理部２０、画像表示メモリ２４、Ｄ／Ａ変換器２６、メモリ３０、圧縮伸長部３２を制御する。Ａ／Ｄ変換器１６のデータは、画像処理部２０、メモリ制御部２２を介して、或いは画像処理部２０を経ることなくメモリ制御部２２を介して、画像表示メモリ２４或いはメモリ３０に書き込まれる。
【００１７】
２４は画像表示メモリ、２６はＤ／Ａ変換器である。２８はＴＦＴ、ＬＣＤ等から成る画像表示部であり、画像表示メモリ２４に書き込まれた表示用の画像データはＤ／Ａ変換器２６を介して画像表示部２８により表示される。３０は撮影した静止画像を格納するためのメモリであり、所定枚数の静止画像を格納するのに十分な記憶量を備えている。これにより、複数枚の静止画像を連続して撮影する連写撮影の場合にも、高速かつ大量の画像書き込みをメモリ３０に対して行うことが可能となる。また、メモリ３０はシステム制御部５０の作業領域としても使用することが可能である。
【００１８】
３２は適応離散コサイン変換（ＡＤＣＴ）等により画像データを圧縮伸長する圧縮伸長部であり、メモリ３０に格納された画像を読み込んで圧縮処理或いは伸長処理を行い、処理を終えたデータをメモリ３０に書き込む。
【００１９】
４０は測光部４６からの測光情報に基づいて、絞り３１２を制御する絞り制御部３４０と連携しながら、シャッター１２を制御するシャッター制御部である。４２はＡＦ処理を行うための測距部である。後述のレンズ３１０に入射した光線を、一眼レフ方式によって、絞り３１２、レンズマウント３０６及び１０６、ミラー１３０そして不図示の測距用サブミラーを介して、測距部４２に入射させる。すると、この測距部４２により、光学像として結像された画像の合焦状態を測定することが出来る。
【００２０】
４６はＡＥ処理を行うための測光部である。レンズ３１０に入射した光線を、一眼レフ方式によって、絞り３１２、レンズマウント３０６及び１０６、ミラー１３０及び１３２そして不図示の測光用レンズを介して、測光部４６に入射させる。すると、この測光部４６により、光学像として結像された画像の露出状態を測定することが出来る。また、測光部４６は、フラッシュ４８と連携することによりＥＦ処理機能も有するものである。
【００２１】
４８はフラッシュであり、ＡＦ補助光の投光機能、フラッシュ調光機能も有する。測距部４２による測定結果と、撮像素子１３によって撮像した画像データを画像処理部２０によって演算した演算結果とを共に用いてＡＦ制御を行っても構わない。さらに、測光部４６による測定結果と、撮像素子１３によって撮像した画像データを画像処理部２０によって演算した演算結果とを共に用いて露出制御を行っても構わない。
【００２２】
５０は装置本体１００全体を制御するシステム制御部、５２は、システム制御部５０の動作用の定数、変数、プログラム等を記憶するメモリである。５４は、システム制御部５０でのプログラムの実行に応じて、文字、画像、音声等を用いて動作状態やメッセージ等を表示する液晶表示装置、スピーカー等の表示部である。この表示部５４は装置本体１００の操作部近辺の視認し易い位置に単数或いは複数個所設置され、例えばＬＣＤやＬＥＤ、発音素子等の組み合わせにより構成されている。また、表示部５４は、その一部の機能が光学ファインダ１０４内に設置されている。
【００２３】
上記表示部５４の表示内容のうち、ＬＣＤ等に表示されるものとしては、例えば、単写／連写撮影表示、セルフタイマー表示、圧縮率表示、記録画素数表示、記録枚数表示、残撮影可能枚数表示、シャッタースピード表示がある。さらには、絞り値表示、露出補正表示、調光補正表示、外部ストロボ発光量表示、赤目緩和表示、ブザー設定表示、電池残量表示、エラー表示、複数桁の数字による情報表示、記録媒体２００及び２１０の着脱状態表示、レンズユニット３００の着脱状態表示がある。さらには、通信Ｉ／Ｆ動作表示、日付・時刻表示、外部コンピュータとの接続状態を示す表示、等がある。
【００２４】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示がある。さらに、シャッタースピード表示、絞り値表示、露出補正表示、記録媒体書き込み動作表示等がある。さらに、表示部５４の表示内容のうち、ＬＥＤ等に表示するものとしては、例えば、記録媒体書き込み動作表示等がある。そして、表示部５４の表示内容のうち、ランプ等に表示するものとしては、例えば、セルフタイマー通知ランプ等がある。このセルフタイマー通知ランプは、ＡＦ補助光と共用して用いても良い。
【００２５】
５６は電気的に消去・記録可能な不揮発性メモリであり、例えばＥＥＰＲＯＭ等が用いられる。
【００２６】
６０，６２，６４，６６，６８，６９及び７０は、システム制御部５０の各種の動作指示を入力するための操作部であり、スイッチやダイアル等の単数或いは複数の組み合わせで構成される。以下に、これらの操作部の具体的な説明を行う。
【００２７】
６０はモードダイアルスイッチであり、自動撮影モード、プログラム撮影モード、シャッター速度優先撮影モード、絞り優先撮影モード、マニュアル撮影モード、自動被写界深度撮影（オートデプス）モードを切り換え設定することが出来る。さらには、ポートレート撮影モード、風景撮影モード、接写撮影モード、スポーツ撮影モード、夜景撮影モード、パノラマ撮影モード等の各機能撮影モードを切り換え設定することが出来る。
【００２８】
６２はシャッタースイッチ（以下、スイッチＳＷ１）であり、不図示のシャッター釦の操作途中でＯＮとなり、ＡＦ処理、ＡＥ処理、ＡＷＢ処理、ＥＦ処理等の動作開始を指示する。６４はシャッタースイッチ（以下、スイッチＳＷ２）であり、不図示のシャッター釦の操作完了でＯＮとなり、撮像素子１３から読み出した信号をＡ／Ｄ変換器１６、メモリ制御部２２を介してメモリ３０に画像データを書き込む露光処理の開始を指示する。さらには、画像処理部２０やメモリ制御部２２での演算を用いた現像処理、メモリ３０から画像データを読み出し、圧縮伸長部３２で圧縮を行い、記録媒体２００或いは２１０に画像データを書き込む記録処理という一連の処理の動作開始を指示する。
【００２９】
６６は再生スイッチであり、撮影モード状態において、撮影した画像をメモリ３０或いは記録媒体２００或いは２１０から読み出して画像表示部２８によって表示する再生動作の開始を指示する。６８はライブビューモードを開始させるためのライブビュー（ＬＶ）開始スイッチであり、ＯＮされるとミラー１３０を跳ね上げ、シャッター１２を開口状態にし、撮像素子１３上に光学像を結像させ、ライブビュー動作を開始させる。６９はライブビューモード中に一時的に測距部４２で位相差ＡＦを行うためのＡＦスイッチである。このＡＦスイッチ６９がＯＮされている間は、レンズ３１０に入射した光線を不図示の測距用サブミラーを介して、測距部４２に入射させる位置にミラー１３０を戻し、位相差ＡＦが行われる。ＡＦスイッチ６９がＯＦＦされると、再びミラー１３０を跳ね上げ、ライブビュー動作に戻る。
【００３０】
７０は各種ボタンやタッチパネル等からなる操作部であり、メニューボタン、セットボタン、マルチ画面再生改ページボタン、フラッシュ設定ボタン、単写／連写／セルフタイマー切り換えボタンを含む。さらに、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、調光補正ボタン、外部ストロボ発光量設定ボタンを含む。さらに、日付／時間設定ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチを含む。さらに、ＪＰＥＧ圧縮の圧縮率を選択するため或いは撮像素子の信号をそのままデジタル化して記録媒体に記録するＣＣＤＲＡＷモードを選択するためのスイッチである圧縮モードスイッチを含む。さらに、再生モード、マルチ画面再生・消去モード、ＰＣ接続モード等の各機能モードを設定することが出来る再生スイッチを含む。さらに、スイッチＳＷ１がＯＮしたならばＡＦ動作を開始し、一旦合焦したならばその合焦状態を保ち続けるワンショットＡＦモードとスイッチＳＷ１のＯＮの間は連続してＡＦ動作を続けるサーボＡＦモードとを設定するＡＦモード設定スイッチ等を含む。また、上記プラスボタン及びマイナスボタンの各機能は、回転ダイアルスイッチを備えることによって、より軽快に数値や機能を選択することが可能となる。
【００３１】
７２は電源スイッチであり、装置本体１００の電源ＯＮ、電源ＯＦＦの各モードを切り換え設定することが出来る。また、装置本体１００に接続されたレンズユニット３００、外部ストロボ、記録媒体２００，２１０等の各種付属装置の電源オン、電源オフの設定も合わせて切り換え設定することが出来る。
【００３２】
８０は電源制御部であり、電池検出部、ＤＣ／ＤＣコンバータ、通電するブロックを切り換えるスイッチ部等により構成されている。そして、電池の装着の有無、電池の種類、電池残量の検出を行い、検出結果及びシステム制御部５０の指示に基づいてＤＣ／ＤＣコンバータを制御し、必要な電圧を必要な期間、記録媒体を含む各部へ供給する。
【００３３】
８２はコネクタ、８６はアルカリ電池やリチウム電池等の一次電池やＮｉＣｄ電池、Ｌｉ電池等の二次電池、ＡＣアダプター等からなる電源部である。９０及び９４はメモリカードやハードディスク等の記録媒体とのインターフェース、９２及び９６はメモリカードやハードディスク等の記録媒体と接続を行うコネクタである。
【００３４】
なお、本実施例では、記録媒体２００，２１０を取り付けるインターフェース及びコネクタを２系統持つものとして説明している。もちろん、記録媒体２００，２１０を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。
【００３５】
さらに、インターフェース９０及び９４、そしてコネクタ９２及び９６をＰＣＭＣＩＡカードやＣＦ（コンパクトフラッシュ（登録商標））カード等の規格に準拠したものを用いた構成とする。そして、ＬＡＮカードやモデムカード、ＵＳＢカード、ＩＥＥＥ１３９４カード、ＳＣＳＩカード、ＰＨＳ等の通信カード、等の各種通信カードを接続したとする。これにより、他のコンピュータやプリンタ等の周辺機器との間で画像データや画像データに付属した管理情報を転送し合うことが出来る。
【００３６】
１０４は光学ファインダであり、レンズ３１０に入射した光線を、一眼レフ方式によって、絞り３１２、レンズマウント３０６及び１０６、ミラー１３０及び１３２を介して導き、光学像として結像表示することが出来る。これにより、画像表示部２８によるライブビュー機能（電子ビューファインダ機能）を使用すること無しに、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００３７】
１１２は、アクセサリーシュー１１０を介して装着される、外部ストロボ装置である。
【００３８】
１２０はインターフェースであり、レンズマウント１０６内において、装置本体１００をレンズユニット３００と接続するためのものである。１２２は装置本体１００をレンズユニット３００と電気的に接続するコネクタである。コネクタ１２２は、装置本体１００とレンズユニット３００との間で制御信号、状態信号、データ信号等を伝え合うと共に、各種電圧の電力を供給する機能も備えている。また、コネクタ１２２は電気通信のみならず、光通信、音声通信等を伝達する構成としても良い。
【００３９】
１３０，１３２はミラーであり、レンズ３１０に入射した光線を、一眼レフ方式によって光学ファインダ１０４に導くことが出来る。なお、ミラー１３２は、クイックリターンミラーの構成としても、ハーフミラーの構成としても、どちらでも構わない。
【００４０】
次に、記録媒体２００，２１０について説明する。
【００４１】
記録媒体２００は、メモリカードやハードディスク等より成る。記録媒体２００は、半導体メモリや磁気ディスク等から構成される記録部２０２、装置本体１００とのインターフェース２０４、装置本体１００と接続を行うコネクタ２０６を備えている。記録媒体２１０も、メモリカードやハードディスク等より成る。記録媒体２１０は、半導体メモリや磁気ディスク等から構成される記録部２１２、装置本体１００とのインターフェース２１４、装置本体１００と接続を行うコネクタ２１６を備えている。
【００４２】
次に、レンズユニット３００について説明する。
【００４３】
３１０はレンズであり、該レンズ３１０に入射した光線は、絞り３１２、レンズマウント３０６及び１０６、ミラー１３０、シャッター１２を介して導かれ、光学像として撮像素子１３上に結像する。３０６は、レンズユニット３００を装置本体１００と機械的に結合するレンズマウントである。レンズマウント３０６内には、レンズユニット３００を装置本体１００と電気的に接続する各種機能が含まれている。
【００４４】
３２０はインターフェースであり、レンズマウント３０６内において、レンズユニット３００を装置本体１００と接続するためのものである。３２２はレンズユニット３００を装置本体１００と電気的に接続するコネクタである。コネクタ３２２は、装置本体１００とレンズユニット３００との間で制御信号、状態信号、データ信号等を伝え合うと共に、各種電圧の電力を供給される或いは供給する機能も備えている。また、コネクタ３２２は電気通信のみならず、光通信、音声通信等を伝達する構成としても良い。
【００４５】
３４０は絞り制御部であり、測光部４６からの測光情報に基づいて、シャッター１２を制御するシャッター制御部４０と連携しながら、絞り３１２を制御する。３４２は撮影レンズ３１０のフォーカシングを制御する測距制御部、３４４は撮影レンズ３１０のズーミングを制御するズーム制御部である。３５０はレンズユニット３００全体を制御するレンズシステム制御部である。レンズシステム制御部３５０は、動作用の定数、変数、プログラム等を記憶するメモリを備えている。さらには、レンズユニット３００固有の番号等の識別情報、管理情報、開放絞り値や最小絞り値、焦点距離等の機能情報、現在や過去の各設定値などを保持する不揮発メモリの機能も備えている。
【００４６】
ここで、通常モードとライブビューモードにおける撮影動作の違いについて説明する。
【００４７】
通常モードとは、一般的な一眼レフタイプの撮像装置としての動作であり、この通常モードにおける撮影動作について、図２のフローチャートを用いて説明する。
【００４８】
まず、ステップＳ４００では、スイッチＳＷ１がＯＮするのを待機する。スイッチＳＷ１がＯＮするとステップＳ４０１へ進み、測距部４２や測光部４６を用いてＡＦ，ＡＥ処理を開始する。ここでのＡＦ処理は、選択されているＡＦモードに従って動作し、例えばワンショットＡＦモードの場合は、合焦するまで動作を繰り返し、合焦したならば合焦状態を保ち続ける。次のステップＳ４０２では、スイッチＳＷ２の状態を判定し、ＯＮしていなければステップＳ４０１に戻り、ＡＦ，ＡＥ処理を繰り返す。
【００４９】
一方、スイッチＳＷ２がＯＮしていればステップＳ４０３へ進み、合焦状態であるか否かを判定し、合焦でなければステップＳ４０１へ戻る。また、合焦と判定した場合はステップＳ４０４へ進み、撮影を行う。
【００５０】
このように、通常モードにおいては、撮影の前準備として必ずＡＦが行われる。
【００５１】
次に、ライブビューモードにおける撮影動作について、図３のフローチャートを用いて説明する。
【００５２】
まず、ステップＳ５００では、ライブビュー開始スイッチ６８がＯＮされるのを待機する。ライブビュー開始スイッチ６８がＯＮされるとステップＳ５０１へ進み、ライブビューを開始する。つまり、前述の説明のようにミラー１３０が上昇し、シャッター１２が開放状態となって、ライブビューモードに移行する。ライブビューモードにおいては、画像処理部２０において撮像されたリアルタイム画像が画像表示部２８に表示される。つまり、ライブビュー表示が行われる。次のステップＳ５０２では、スイッチＳＷ１の状態を判定し、ＯＦＦであればステップＳ５０１に戻る。
【００５３】
一方、スイッチＳＷ１がＯＮであればステップＳ５０３へ進み、画像処理部２０を用いてのＡＥを行う。また、画像処理部２０を用いてのＡＦ処理が可能な構成をとる場合、例えばコントラストＡＦが可能であれば行う。但し、本実施例においては、コントラストＡＦは必須ではなく、画像処理部２０を用いたＡＦ処理を行わない構成としても良い。
【００５４】
次のステップＳ５０４では、スイッチＳＷ２の状態を判定し、ＯＦＦであればステップＳ５０３に戻る。また、スイッチＳＷ２がＯＮであればステップＳ５０５へ進み、静止画の撮影を行い、記録する。ここでの静止画撮影においては、既にミラー１３０は撮像素子１３へ光学像を結像出来る上昇位置にあるため、ミラー１３０を駆動する必要はない。或いは一旦ミラー１３０およびシャッター１２を待機状態（ミラー１３０下降状態、シャッター１２閉状態）に戻し、通常モードと同じ動作で撮影を行っても構わない。
【００５５】
このように、ライブビューモードにおいては、撮影の前準備としてのＡＦは必ずしも必要ない。これは、以下の理由による。ライブビューモードでは、被写体像の拡大などが容易である。よって、マニュアルでのピント合わせに向いていることや、通常モードでの測距部４２が行う位相差ＡＦに比べ、ライブビューモードでの画像処理部２０を用いたコントラストＡＦが、相対的にレスポンスが悪いことなどによる。なお、ライブビューモードで、マニュアルフォーカスが選択されていない場合には、コントラストＡＦが可能な構成であれば、コントラストＡＦを行うが、そうでなければ自動でのピント合わせは行わない。
【００５６】
次に、ライブビューモードにおける測距部４２を用いた位相差ＡＦについて、図４のフローチャートを用いて説明する。
【００５７】
まず、ステップＳ６００では、ライブビューモード中にＡＦスイッチ６９がＯＮされてＡＦ開始指示がなされたかを判定する。ＡＦスイッチ６９がＯＦＦであればこのステップで待機し、その後ＡＦスイッチ６９がＯＮされるとステップＳ６０１へ進む。ステップＳ６０１では、ミラー１３０およびシャッター１２を待機状態に戻して、ライブビューを解除する。そして、次のステップＳ６０２にて、測距部４２を用いた位相差ＡＦを開始する。このＡＦ処理に関しては前述の通常時の動作説明と同様である。
【００５８】
次のステップＳ６０３では、ＡＦスイッチ６９がＯＦＦされたか否かを判定し、ＯＮのままであればステップＳ６０２に戻り、位相差ＡＦを繰り返す。その後、ＡＦスイッチ６９がＯＦＦされるとステップＳ６０４へ進み、ＡＦ処理を停止して、ミラー１３０およびシャッター１２を制御してライブビューに戻る。
【００５９】
以上により、ライブビューモードにおいても、光学ファインダを用いた位相差ＡＦが可能になる。
【００６０】
次に、通常モードにおいて、自動被写界深度撮影（オートデプス）モードが選択されていた場合の動作を説明する。
【００６１】
ここで、オートデプスモードとは、各測距点の中で測距を成功した合焦点すべてに対し、同一の被写界深度に近づけるように焦点を調節するモードであり、さらに被写界深度に合わせて撮影絞り値も制御される。撮影モードとは別にＡＦ方式の設定が存在する場合であっても、撮影モードがオートデプスモードの場合は、ＡＦ方式の設定とは無関係に焦点調節が行われる。例えばＡＦ方式としてサーボＡＦ方式が選択されている場合でも、被写界深度を優先したワンショットＡＦ動作となる。図５はその動作を示すフローチャートである。
【００６２】
まず、ステップＳ７００では、スイッチＳＷ１がＯＮされるのを待機し、該スイッチＳＷ１がＯＮされるとステップＳ７０１へ進み、測距を行い、合焦点を決定し、次のステップＳ７０２にて、焦点調節を行う。続くステップＳ７０３では、決定された合焦点を被写界深度内に収めるための撮影絞り値（ＡＶ値）を決定する。その後はステップＳ７０４へ進み、決定された絞り値による絞り優先の測光演算を行い、シャッター秒時（ＴＶ値）を算出する。
【００６３】
次のステップＳ７０５では、スイッチＳＷ２の状態を検出し、ＯＦＦであればステップＳ７０４に戻る。つまり、スイッチＳＷ２がＯＮしておらず、スイッチＳＷ１がＯＮのままである間は、決定された絞り値による絞り優先測光を続け、撮影輝度が変化した場合はその都度シャッター秒時を変更する。また、スイッチＳＷ２がＯＮであればステップＳ７０６へ進み、算出された絞り値とシャッター秒時で撮影を行う。
【００６４】
上記オートデプスモードが選択されている状態で、ライブビューモードに移行した場合は、オートデプスモードをプログラムＡＥモードに切り換える。その際の動作を、図６のフローチャートを用いて説明する。
【００６５】
まず、ステップＳ８００では、ライブビュー開始スイッチ６８がＯＮされるのを待機する。ライブビュー開始スイッチ６８がＯＮされるとステップＳ８０１へ進み、前述の説明のように、ミラー１３０およびシャッター１２を制御してライブビューモードに移行する。つまり、ライブビューを開始する。
【００６６】
次のステップＳ８０２では、スイッチＳＷ１の状態を検出し、ＯＦＦであればステップＳ８０１に戻り、ライブビューを継続する。スイッチＳＷ１がＯＮされるとステップＳ８０３へ進み、ここでは現在の撮影モードを判定する。ここではオートデプスモードであるのでステップＳ８０４へ進み、撮影モード（オートデプスモード）をプログラムＡＥモード（Ｐ）に切り換え、ステップＳ８０５へ進む。また、オートデプスモードでない場合はそのままステップＳ８０５へ進む。
【００６７】
ステップＳ８０５では、画像処理部２０を用いてのＡＥを行う。つまり、オートデプスモードであればステップＳ８０４にて切り換えられたプログラムＡＥを行い、オートデプスモードでなければモードダイアルスイッチ６０により設定されたモードのＡＥを行う。その後はステップＳ８０６へ進み、スイッチＳＷ２の状態を検出する。ここでスイッチＳＷ２がＯＦＦであればステップＳ８０３へ戻り、同様の動作を繰り返す。また、スイッチＳＷ２がＯＮであればステップＳ８０７へ進み、算出された絞り値とシャッター秒時で撮影を行う。
【００６８】
プログラムＡＥモードでは、ピント位置とは無関係に測光演算が行われるため、通常モードでの合焦状態とは無関係にライブビューが可能になる。
【００６９】
また、ライブビューモードにおいて、ＡＦスイッチ６９のＯＮを受け付けて、一旦ライブビューを解除してＡＦ動作を行う場合には、オートデプスでのＡＦではなく、ＡＦモードとして選択されているＡＦモードでＡＦを行う。その際の動作を、図７のフローチャートを用いて説明する。
【００７０】
まず、ステップＳ９００では、ライブビュー開始スイッチ６８がＯＮされるのを待機する。ライブビュー開始スイッチ６８がＯＮされるとステップＳ９０１へ進み、前述の説明のようにミラー１３０およびシャッター１２を制御し、ライブビューモードに移行する。つまり、ライブビューを開始する。
【００７１】
次のステップＳ９０２では、ＡＦスイッチ６９の状態を検出し、該ＡＦスイッチ６９がＯＮであればステップＳ９０４へ進み、ミラー１３０およびシャッター１２を待機状態に戻す。つまり、ライブビューを解除する。その後はステップＳ９０５へ進み、現在の撮影モードを判定し、オートデプスモードでなければステップＳ９０６へ進み、撮影モードとＡＦモード設定に従い、通常モード通りのＡＦを行う。一方、撮影モードがオートデプスモードであればステップＳ９０７へ進み、オートデプスでのＡＦではなく、ＡＦモードとして操作部７０により選択されているワンショットＡＦかサーボＡＦを行う。
【００７２】
次のステップＳ９０８では、ＡＦスイッチ６９の状態を検出し、該ＡＦスイッチ６９がＯＮのままであればステップＳ９０５へ戻り、同様の動作を繰り返す。また、ＡＦスイッチ６９がＯＦＦされていればステップＳ９０６へ進み、ＡＦ処理を停止して、ミラー１３０およびシャッター１２を制御し、ライブビューに戻る。
【００７３】
その後はステップＳ９０３へ進み、スイッチＳＷ２の状態を検出し、該スイッチＳＷ２がＯＦＦであればステップＳ９０２へ戻り、同様の動作を繰り返す。また、スイッチＳＷ２がＯＮされていればステップＳ９１０へ進み、撮影を行う。
【００７４】
ここで、ライブビューモード時に、ＡＦモードとして例えばサーボＡＦモードが設定されている場合、オートデプスモード時であっても被写界深度を優先したＡＦではなく、上記ステップＳ９０７では上記サーボＡＦを行う。これにより、撮影モードとしてオートデプスに設定されている場合に、ＡＦを行わないライブビューモードでも、撮影操作が可能になる。
【００７５】
通常、オートデプスモードでは測距結果による焦点調節と併せて、撮影絞り値も決定されるため、撮影の前には必ずＡＦを行う必要がある。本実施例におけるライブビューモードでは、ＡＦスイッチ６９を操作することなく撮影が可能なため、オートデプスモードとの相性が悪い。また、オートデプスモードにおいてはＡＦを行う度に撮影絞り値が更新される可能性があるので、ＡＦスイッチ６９によりオートデプスＡＦを行う場合に、ＡＦスイッチ６９がＯＦＦされてライブビューに戻った時点で撮影絞り値は無効になってしまう。そのような状態でとっさにＡＦを行いたくなった場合、ライブビューモードでの測光結果に影響が無いように例えばサーボＡＦにてＡＦを行うことが可能になる。
【００７６】
次に、通常モードにおいて、ＡＦモードとしてワンショットＡＦモードが、測光モードとして評価測光が、それぞれ選択されている場合の動作について、図８のフローチャートを用いて説明する。
【００７７】
まず、ステップＳ９２０にて、スイッチＳＷ１がＯＮされるのを待機する。該スイッチＳＷ１がＯＮされるとステップＳ９２１へ進み、測距を行う。この際、複数の測距点からユーザーにより任意の点が選択されていれば、その測距点で焦点調節を行い、自動選択が設定されていれば、自動的に確定した測距点で焦点調節を行う。
【００７８】
次のステップＳ９２３では、合焦測距点を中心とした評価測光を行い、測光結果を算出する。続くステップＳ９２４では、算出された測光結果（絞り値、シャッター秒時）をロック（ＡＥロック）する。このように合焦後にロックされた測光結果は、スイッチＳＷ１のＯＮを保持したまま画角を変更したり、被写体輝度が変化したりしても変わることは無い。
【００７９】
上記のような設定で、ライブビューモードに移行した場合は、合焦後の測光結果のロックを行わないように動作を切り換える。つまり、ライブビューモード中にＡＦスイッチ６９のＯＮを受け付けて、一旦ライブビューを解除して位相差ＡＦ方式によるＡＦ動作を行う場合には、合焦後の測光結果のロックは行わない。これは、以下の理由による。合焦後に測光結果をロックするのは、ＡＦ合焦後に速やかに撮影する前提で有効である。ライブビューモードでは、ＡＦはあくまでもオプション（撮影に必須ではない）であることと、合焦状態を解除する明示的な手段がない。このことから、位相差ＡＦ後に測光結果をロックしてしまった場合に、撮影者の意図した結果とならない可能性がある。また、測光部４６と画像処理部２０での測光アルゴリズムが異なる場合に、ＡＦした場合としなかった場合で撮影時の露出が異なる可能性があるからである。図９のフローチャートを用いて、その際の動作について説明する。
【００８０】
まず、ステップＳ９５０では、ライブビュー開始スイッチ６８がＯＮされるのを待機する。該ライブビュー開始スイッチ６８がＯＮされるとステップＳ９５１へ進み、前述の説明のようにミラー１３０およびシャッター１２を制御し、ライブビューモードに移行する。つまり、ライブビューを開始する。
【００８１】
次のステップＳ９５２では、ＡＦスイッチ６９の状態を検出し、該ＡＦスイッチ６９がＯＮされるとステップＳ９５３へ進み、ミラー１３０およびシャッター１２を待機状態に戻す。つまり、ライブビューを解除する。その後はステップＳ９５４へ進み、測距を行う。この際、複数の測距点からユーザーにより任意の点が選択されていれば、それを測距点として決定し、次のステップＳ９５５にて、決定された測距点で焦点調節を行う。自動選択が設定されていれば、自動的に確定した測距点で焦点調節を行う。
【００８２】
次のステップＳ９５６では、合焦測距点を中心とした評価測光を測光部４６により行い、測光結果を算出する。その後はステップＳ９５７へ進み、ＡＦスイッチ６９のＯＦＦを検出するまで、ステップＳ９５６による測光演算を繰り返し行い、測光結果を更新する。つまり、リアルタイムに測光を続ける。
【００８３】
上記ステップＳ９５７でＡＦスイッチ６９がＯＦＦされるとステップＳ９５８へ進み、ミラー１３０およびシャッター１２を制御し、ライブビューに戻る。
【００８４】
その後はステップＳ９５９へ進み、スイッチＳＷ２の状態を検出し、該スイッチＳＷ２がＯＦＦであればステップＳ９５２へ戻り、同様の動作を繰り返す。また、スイッチＳＷ２がＯＮされていればステップＳ９６０へ進み、撮影を行う。
【００８５】
ここでの説明では、位相差ＡＦ方式によるＡＦ動作時に、測光部４６を用いて測光を行う例を示したが、測距部４２によるＡＦ中は測光部４６によるＡＥを行っても行わなくてもどちらでも構わない。撮影時に使用される測光値は、ライブビューモードに復帰してから画像処理部２０によって行われる訳だが、例えば測光部４６による測光を行い、画像処理部２０による測光が行えない間の表示に使用しても良い。これにより、通常撮影モードとは異なり、撮影前準備としてのＡＦではなく、補助的なＡＦの使用方法においてもユーザーが違和感なく操作することが出来る。また、ライブビューモード中の測光方式を画像処理部２０による測光に統一できるため、測光部４６との違いをユーザーが意識することなく使用することが出来る。
【００８６】
上記の実施例の撮像装置は、光学ファインダを使用した通常モードと電子ビューファインダを使用したライブビューモードを備え、光学ファインダ使用時に動作可能となる位相差ＡＦ方式によるＡＦ動作を行う測距部４２を具備している。そして、ライブビューモード中に、ＡＦ結果に連動した測光を行う撮影モードが設定されている場合は、ＡＦ結果に連動しない測光を行う撮影モードに切り換えるようにしている。
【００８７】
上記のＡＦ結果に連動した測光を行う撮影モードとは、オートデプスモード、もしくは、合焦測距点での評価測光結果をもって合焦時に測光値をロックするモードである。また、上記のＡＦ結果に連動しない測光を行う撮影モードとは、プログラムＡＥモード、もしくは、リアルタイムに測光を続けるモードである。
【００８８】
上記のように、本実施例においては、ＡＦ結果に連動した測光を行う撮影モード時には、ＡＦ結果に連動しない測光を行う撮影モードに切り換えるようにしている。詳しくは、撮影モードとしてオートデプスモードが設定されている場合には、ライブビューモード中は、プログラムＡＥモードに切り換えて動作するようにしている。これにより、位相差ＡＦ方式によるＡＦ動作を前提としない操作性が確保できる。つまり、通常、オートデプスモードでは非合焦状態では撮影が許可されず、撮影絞り値も確定できないため、ＡＦ操作を前提としないライブビューモードにおいて、ＡＦを行わずに撮影しようとしても撮影できない。しかし、上記の構成とすることにより、光学ファインダを使う通常モードでオートデプスモードを選択しているユーザーがとっさにライブビューモードに切り換えた場合に、ライブビューモードから直接撮影できないといった制約を解決することが出来る。換言すれば、位相差ＡＦ方式によるＡＦ動作を行ってからライブビュー撮影する場合においても、ライブビューから直接撮影を行う場合と変わりない測光結果を保証することができる。
【００８９】
また、撮影モードとして合焦測距点での評価測光結果でもって合焦時に測光値ロックするモードを選択している場合には、位相差ＡＦ動作に無関係なリアルタイム測光モードに切り換えるようにしている。これにより、ライブビューモード中に位相差ＡＦを行った場合に不用意にＡＥロックしてしまうような、使い勝手の悪さを改善することが出来る。
【００９０】
つまり、位相差ＡＦとライブビューモードを組み合わせた際の不整合を防止することができる撮像装置を提供可能となる。
【００９１】
また、本実施例の撮像装置は、プログラムＡＥモードとオートデプスモードを少なくとも選択可能とするモードダイアルスイッチ６０と、オートフォーカスモードを選択するための操作部７０とを具備している。さらに、ライブビューモード時に位相差ＡＦ方式によるＡＦ動作を開始するためのＡＦスイッチ６９を具備している。そして、ライブビューモードにおける位相差ＡＦ方式によるＡＦ動作中に、撮影モードにオートデプスモードが設定されているとする。この場合であっても、該オートデプスモードとは無関係に操作部７０により選択されているＡＦ方式（ワンショットＡＦもしくはサーボＡＦ）によるＡＦ動作を行うようにしている。
【００９２】
上記のように、撮影モードとしてオートデプスモードが設定されている場合に、ライブビューモードにおいて位相差ＡＦ方式によるＡＦ動作が開始された際には、オートデプスモードとは無関係に選択されているＡＦモードによるＡＦを行うようにしている。これにより、ライブビューモードでの測光結果に影響が無いようにＡＦを行うことが可能になる。
【００９３】
つまり、位相差ＡＦとライブビューモードを組み合わせた場合、
１）オートデプスでは撮影動作にＡＦが必須であるのに対し、本実施例におけるライブビューモードではＡＦを必須としていない（レリーズ釦とは別にＡＦスイッチ６９を設けているので）
２）オートデプスモードではＡＦ中のみ、被写界深度に必要な撮影絞り値が算出されるのに対し、ライブビューモードではＡＦを停止した後にライブビューモードに戻るため、ライブビュー状態での相性が悪い
という不整合がある。
【００９４】
そこで、ライブビューモード時には、オートデプスを行わない。但し、ユーザーがＡＦスイッチ６９を操作した場合には、設定されているＡＦモードにしたがったＡＦを行い、ピント合わせを行う。
【００９５】
以上により、位相差ＡＦとライブビューモードを組み合わせた際の不整合、つまり、光学ファインダとライブビューモードを切換可能にした場合のオートフォーカスと測光方式の不整合を防止することができる撮像装置を提供可能となる。
【００９６】
（本発明と実施例の対応）
光学ファインダ１０４が本発明の光学ファインダに、画像表示部２８により被写体を観察するモードがライブビューモードに、それぞれ相当する。また測距部４２が、本発明の、光学ファインダの使用時に動作可能となるオートフォーカス手段に相当する。
【００９７】
また、システム制御部５０が、本発明の制御手段に相当する。つまり、オートフォーカス手段により得られるオートフォーカス結果に連動した測光を行うモードが設定されている場合に、光学ファインダからライブビューモードに切り換えられるとする。すると、システム制御部５０は、オートフォーカス結果に連動しない測光を行うモードに切り換える。
【００９８】
モードダイアル６０が、本発明の、プログラム撮影モードと自動被写界深度撮影モードを少なくとも選択可能とする第１操作部材に、操作部７０が、本発明の、オートフォーカスモードを選択可能とする第２操作部材に、それぞれ相当する。また、システム制御部５０が、本発明の、オートフォーカス制御手段に相当する。つまり、ライブビューモード時に、光学ファインダに切り換えられたとする。すると、第１の操作部材により自動被写界深度撮影モードが設定されている場合であっても、システム制御部５０は、第２操作部材により選択されているオートフォーカスモードにてオートフォーカス手段を動作させる。
【図面の簡単な説明】
【００９９】
【図１】本発明の一実施例に係わる撮像装置を示す構成図である。
【図２】本発明の一実施例における通常撮影モードの動作を示すフローチャートである。
【図３】本発明の一実施例におけるライブビューモードの動作を示すフローチャートである。
【図４】本発明の一実施例におけるライブビューモード中の位相差ＡＦの動作を示すフローチャートである。
【図５】本発明の一実施例におけるオートデプスモードの動作を示すフローチャートである。
【図６】本発明の一実施例におけるライブビュー中の撮影モード切換に関する動作を示すフローチャートである。
【図７】本発明の一実施例におけるライブビュー中のＡＦモード切換に関する動作を示すフローチャートである。
【図８】本発明の一実施例における合焦後のＡＥロック動作を示すフローチャートである。
【図９】本発明の一実施例における合焦後のＡＥロック動作を行わない場合の動作を示すフローチャートである。
【符号の説明】
【０１００】
１２      シャッター
１３      撮像素子
２０      画像処理部
２８      画像表示部
４０      シャッター制御部
４２      測距部
４６      測光部
５０      システム制御部
６０      モードダイアルスイッチ
６８      ライブビュー開始スイッチ
６９      ＡＦスイッチ
７０      操作部
１００    装置本体
１０４    光学ファインダ
３００    レンズユニット
３１０    レンズ
３４０    露光制御部
３４２    測距制御部
３５０    レンズシステム制御部
【図１】
0005273965.tif 000002
【図２】
0005273965.tif 000003
【図３】
0005273965.tif 000004
【図４】
0005273965.tif 000005
【図５】
0005273965.tif 000006
【図６】
0005273965.tif 000007
【図７】
0005273965.tif 000008
【図８】
0005273965.tif 000009
【図９】
0005273965.tif 000010